(57)【要約】【課題】光の照射方向の自由度を高め、回動部分の回動がスムーズな照明装置を提供する。【解決手段】回動規制部４０の脚部４１は、化粧枠３０の嵌入溝部３３に嵌入される部位である。回動規制部４０は、脚部４１が嵌入溝部３３内に嵌入され、嵌入溝部３３内を摺動することにより、化粧枠３０に対して摺動する。回動規制部４０の台座部４２は、化粧枠３０に灯体１０の回動胴２０が嵌入され、回動規制部４０の脚部４１が嵌入溝部３３に嵌入された状態で、回動胴２０の環状凸部２２を支持する。化粧枠３０は、側周面３２の上端面上に複数の凸部３５を有することにより、回動胴２０の環状凸部２２と当接する際に、各凸部３５による点を介して当接する。【選択図】図８Ａ
2015050019.tif 000002
【特許請求の範囲】
【請求項１】
発光素子が実装され、凸部を有する回動胴が環装された灯体と；
前記回動胴が、第１の回動が可能に嵌入される回動枠と；
前記回動枠に設けられた嵌入溝部に嵌入され、前記嵌入溝部内を摺動するとともに、前記凸部と当接して前記第１の回動を規制する回動規制部と；
を具備する照明装置。
【請求項２】
前記回動規制部は、
前記嵌入溝部に嵌入され、前記嵌入溝部内を摺動する脚部と；
前記回動胴の外周上に環状に設けられた環状凸部と当接して前記回動胴を支持する台座部と；
前記台座部による前記環状凸部の支持を保持する保持部と；
前記凸部と当接して前記第１の回動を規制する当接部と；
をさらに具備する請求項１に記載の照明装置。
【請求項３】
前記灯体は、
前記第１の回動の回動中心線とねじれの位置関係を有する回動中心線を中心とする前記回動胴に対する第２の回動によっても、前記灯体の内部において前記発光素子が実装される基板と接続されるケーブルが前記発光素子による照光方向側へ露出しない位置において、前記灯体の内部および外部の間で前記ケーブルを挿通させる挿通部；
をさらに具備する請求項１または２に記載の照明装置。
【発明の詳細な説明】
【技術分野】
【０００１】
本発明の実施形態は、照明装置に関する。
【背景技術】
【０００２】
近年、ＬＥＤ（Light  Emitting  Diode）などの半導体発光素子を光源とする照明装置が用いられている。例えば、装置本体の鉛直方向および水平方向を回動する際の中心軸となる回動中心線として、光源を有する灯体を回動自在とする照明装置がある。このような照明装置は、灯体が取り付けられる略円筒状の内枠が、照明装置自体を室内天井に固定するための略円筒状の外枠に対して摺動により回動可能に取り付けられ、外枠に対する内枠の回動量が所定量に規制される。
【０００３】
しかし、かかる照明装置は、外枠に対する内枠の回動量が所定量に規制されるため、外枠に対する内枠の回動の自由度が低く、照明装置の光の照射方向の自由度が低い。
【先行技術文献】
【特許文献】
【０００４】
【特許文献１】特許第５１６９６１５号公報
【発明の概要】
【発明が解決しようとする課題】
【０００５】
本発明が解決しようとする課題は、光の照射方向の自由度を高める照明装置を提供することである。
【課題を解決するための手段】
【０００６】
実施形態の一例にかかる照明装置は、灯体と、回動枠と、回動規制部とを具備する。灯体は、発光素子が実装され、凸部を有する回動胴が環装される。回動枠は、回動胴が、第１の回動が可能に嵌入される。回動規制部は、回動枠に設けられた嵌入溝部に嵌入され、嵌入溝部内を摺動するとともに、凸部と当接して第１の回動を規制する。
【発明の効果】
【０００７】
実施形態の一例にかかる照明装置によれば、光の照射方向の自由度を高め、回動部分の回動をスムーズにできる。
【図面の簡単な説明】
【０００８】
【図１】図１は、実施形態にかかる照明装置を示す斜視図である。
【図２】図２は、実施形態にかかる照明装置の分解斜視図である。
【図３】図３は、実施形態にかかる照明装置の灯体の回動の態様を示す斜視図である。
【図４】図４は、実施形態にかかる照明装置の化粧枠の斜視図である。
【図５】図５は、実施形態にかかる照明装置における回動胴の化粧枠への嵌入の態様を示す斜視図である。
【図６】図６は、実施形態にかかる照明装置の回動規制部を示す斜視図である。
【図７】図７は、実施形態にかかる照明装置への回動規制部の取り付けの態様を示す斜視図である。
【図８Ａ】図８Ａは、実施形態にかかる照明装置への回動規制部の取り付けの態様を示す斜視図である。
【図８Ｂ】図８Ｂは、実施形態にかかる照明装置への回動規制部の取り付けの態様を示す斜視図である。
【図９】図９は、実施形態にかかる照明装置の光の照射側方向からみた斜視図である。
【図１０】図１０は、実施形態にかかる照明装置における演色フィルタの装着の態様を示す図である。
【図１１】図１１は、実施形態にかかる照明装置における演色フィルタの装着の端部の断面の概略を示す図である。
【図１２Ａ】図１２Ａは、実施形態にかかる照明装置における電気ケーブルの配線の態様を示す斜視図である。
【図１２Ｂ】図１２Ｂは、実施形態にかかる照明装置における電気ケーブルの配線の態様を示す上面図である。
【発明を実施するための形態】
【０００９】
以下、図面を参照して、実施形態にかかる照明装置を説明する。実施形態において同一の機能を有する構成には同一の符号を付し、重複する説明は省略する。なお、以下の実施形態で説明する照明装置は、一例を示すに過ぎず、実施形態を限定するものではない。例えば、以下の実施形態では、照明装置は、建物の天井に設置される、ＬＥＤ（Light  Emitting  Diode）を光源とするユニバーサルダウンライトである。しかし、これに限らず、照明装置は、広く半導体光源一般を光源とするものであってもよい。また、以下の実施形態および各変形例は、矛盾しない範囲内で適宜組みあわせてもよい。
【００１０】
以下の第１の実施態様にかかる照明装置は、灯体と、回動枠と、回動規制部とを具備する。灯体は、発光素子が実装され、凸部を有する回動胴が環装される。回動枠は、回動胴が、第１の回動が可能に嵌入される。回動規制部は、回動枠に設けられた嵌入溝部に嵌入され、嵌入溝部内を摺動するとともに、凸部と当接して第１の回動を規制する。
【００１１】
また、以下の第２の実施態様にかかる照明装置は、回動規制部が、さらに、脚部と、台座部と、保持部と、当接部とを具備する。脚部は、嵌入溝部に嵌入され、嵌入溝部内を摺動する。台座部は、回動胴の外周上に環状に設けられた環状凸部と当接して回動胴を支持する。保持部は、台座部による環状凸部の支持を保持する。当接部は、凸部と当接して第１の回動を規制する。
【００１２】
また、以下の第３の実施態様にかかる照明装置は、灯体は、さらに、挿通部を具備する。挿通部は、第１の回動の回動中心線とねじれの位置関係を有する回動中心線を中心とする回動胴に対する第２の回動によっても、灯体の内部において発光素子が実装される基板と接続されるケーブルが発光素子による照光方向側へ露出しない位置において、灯体の内部および外部の間でケーブルを挿通させる。
【００１３】
［実施形態］
（照明装置の構成）
図１は、実施形態にかかる照明装置を示す斜視図である。図１は、実施形態にかかる照明装置１を、光の照射方向の反対側である上方の斜め方向から見た斜視図である。照明装置１は、例えば建物の天井に埋め込み設置されるダウンライトであり、内部に実装されたＬＥＤなどの半導体発光素子を発光させることにより、図１に示す下方へ光を照射する。照明装置１は、灯体１０、化粧枠３０を有する。
【００１４】
灯体１０は、放熱フィン１１、回動胴２０を有する。放熱フィン１１は、アルミダイカストなどの放熱性に優れた金属により、略三角形状に形成される。放熱フィン１１は、下方の基板１２（図２参照）に接続される電気ケーブル（図示せず）を結束し固定するための固定孔１１ａを有する。
【００１５】
回動胴２０は、アルミダイカストなどの金属により、略円筒状に形成される。なお、照明装置１において、灯体１０の放熱フィン１１側を上方と呼び、回動胴２０側を下方と呼ぶ。回動胴２０は、略円筒状の上端の１カ所に、外周方向へ延伸する凸部２１を有する。
【００１６】
化粧枠３０は、例えばアルミダイカストなどの金属などにより形成される。化粧枠３０は、上下両端がそれぞれ略円状に開口する略円筒状である。化粧枠３０は、灯体１０から照射される光の照射方向を、化粧枠３０の円筒形状により調整する。化粧枠３０は、下方に略円環状のフランジ３１を有し、フランジ３１の内周から立設する側周面３２を有する。なお、化粧枠３０は、嵌入された回動胴２０を化粧枠３０の内周に沿って回動させる回動枠に該当する。
【００１７】
照明装置１は、灯体１０の回動胴２０が化粧枠３０に嵌入されることにより形成される。回動胴２０は、回動胴２０の外周に設けられた環状凸部２２が化粧枠３０の上端に当接するまで化粧枠３０に嵌入される。化粧枠３０は、側周面３２上に略等間隔に位置する２つの固定部３４ａ〜３４ｂを有する。
【００１８】
回動胴２０は、環状凸部２２が化粧枠３０の上端に当接した状態で、２つの固定部材５０ａ〜５０ｂが固定部３４ａ〜３４ｂにそれぞれ先端が挿入され爪係止されることにより、化粧枠３０に取り付けられる。すなわち、固定部材５０ａ〜５０ｂは、固定部３４ａ〜３４ｂそれぞれに爪係止されると、上方から環状凸部２２を押圧する状態となる。このようにして、回動胴２０は、化粧枠３０の内周において摺動による回動が可能になる。
【００１９】
なお、固定部３４ａ〜３４ｂは、回動胴２０を化粧枠３０に取り付けるために、その数および配置位置は、適宜変更可能である。
【００２０】
また、化粧枠３０は、上端の周上の１カ所に、回動規制部４０を嵌入するための嵌入溝部３３を有する。嵌入溝部３３は、化粧枠３０の円筒形状の円周に沿って設けられる。嵌入溝部３３は、化粧枠３０の外周側に位置する嵌入溝３３ａ（図８Ｂ参照）、嵌入溝３３ａに隣接して化粧枠３０の内周側に位置する嵌入支持部３３ｂ（図８Ｂ参照）を有する。嵌入溝３３ａの長さは、嵌入支持部３３ｂの長さよりも長い。
【００２１】
嵌入溝部３３に嵌入する回動規制部４０の脚部４１（図６参照）の幅手方向の長さは、嵌入溝部３３の長さよりも短い。すなわち、回動規制部４０は、嵌入溝部３３に脚部４１が嵌入された状態で、嵌入溝部３３に沿って摺動可能である。
【００２２】
回動規制部４０は、灯体１０の回動胴２０が化粧枠３０に嵌入される際に、予め嵌入溝部３３に嵌入される。すなわち、灯体１０の回動胴２０は、回動規制部４０を嵌入溝部３３に嵌入した後に、化粧枠３０に取り付けられる。
【００２３】
回動規制部４０は、回動胴２０が化粧枠３０の内周において回動すると、回動胴２０の凸部２１が当接することにより、当接状態以上に回動を規制する。ここで、上述のように、回動規制部４０は、嵌入溝部３３に脚部４１が嵌入された状態で嵌入溝部３３に沿って摺動可能である。よって、回動規制部４０は、回動胴２０が化粧枠３０の内周において回動し、回動胴２０の凸部２１が当接しても、当接した状態で嵌入溝部３３に沿って摺動し、回動胴２０のさらなる回動を許容する。
【００２４】
しかし、嵌入溝部３３に沿った回動規制部４０の摺動は、嵌入溝部３３の長さにより規制される。よって、最終的に、化粧枠３０の内周における回動胴２０の回動は、嵌入溝部３３の回動方向の一端まで至った回動規制部４０と、回動胴２０の凸部２１との当接により、回動が規制される。回動胴２０の回動が逆方向であっても、同様である。
【００２５】
このように、回動胴２０の凸部２１と当接した状態で回動規制部４０が、嵌入溝部３３に沿って摺動することにより、回動胴２０は、化粧枠３０の内周において、３６０°以上の回動角度を確保することができる。なお、回動胴２０が化粧枠３０の内周において確保することができる回動角度は、回動規制部４０の脚部４１（図６参照）の幅手方向の長さと、嵌入溝部３３の長さとにより定まる。
【００２６】
また、化粧枠３０は、側周面３２に、取付けバネ６０ａ〜６０ｃが取り付けられる。取付けバネ６０ａ〜６０ｃは、金属板の弾性部材である。取付けバネ６０ａ〜６０ｃは、化粧枠３０の側周面３２に取り付けられた状態で外力により上方向に押圧されることにより、化粧枠３０の側周面３２と略平行となる位置まで折れ曲がる。
【００２７】
照明装置１は、建物の天井に埋め込み設置される場合に、取付けバネ６０ａ〜６０ｃが化粧枠３０の側周面３２と略平行となる位置まで折り曲げられる。そして、照明装置１は、取付けバネ６０ａ〜６０ｃが化粧枠３０の側周面３２と略平行となる位置まで折り曲げられた状態で、天井の埋め込み孔に挿入される。そして、照明装置１は、フランジ３１が天井に接触するまで押し上げられる。そして、取付けバネ６０ａ〜６０ｃは、外力により押圧されなくなることで図１に示す状態に復元し、フランジ３１との間で天井壁を挟持する。これにより、照明装置１は、天井に埋め込み設置される。
【００２８】
（灯体の構成）
図２は、実施形態にかかる照明装置の分解斜視図である。図２は、実施形態にかかる照明装置１を、光の照射方向の反対側である上方の斜め方向から見た斜視図である。なお、図２では、固定部３４ａ〜３４ｂ、固定部材５０ａ〜５０ｂおよび取付けバネ６０ａ〜６０ｃの図示は省略している。
【００２９】
照明装置１は、灯体１０を、回動規制部４０とともに化粧枠３０へ嵌入して構成される。灯体１０は、放熱フィン１１、基板１２、レンズベース１３、演色フィルタ１４、レンズ枠１５、回動胴２０を有する。灯体１０は、図２に示すように、下方から、回動胴２０、レンズ枠１５、演色フィルタ１４、レンズベース１３、基板１２、放熱フィン１１の順序で組み付けられて構成される。
【００３０】
放熱フィン１１は、下方に位置する基板１２に下方へ向けて搭載される光源が発する熱を放熱する。放熱フィン１１は、平置面の略円状の直径の両端に、孔を有する。また、放熱フィン１１は、基板１２に実装される光源へ電源を供給する電気ケーブル（図示せず）が上方へ取り回される。
【００３１】
基板１２は、下方の面に、ＬＥＤ（図示せず）が光源として配置される。基板１２は、上述の電気ケーブルを介して複数のＬＥＤへ電源を供給するとともに、ＬＥＤの発光を制御する制御回路（図示せず）を有する。また、基板１２は、略円状の直径の両端に、切り欠き部を有する。
【００３２】
レンズベース１３は、レンズ１３ａを有する。なお、図２では、１個のレンズに符号１３ａを付与しているが、レンズベース１３に形成されている円錐台形状の各部材はレンズ１３ａに該当する。レンズベース１３は、レンズ１３ａにより、基板１２に配置されたＬＥＤからの光を発散または集束させる。レンズベース１３は、上方から基板１２を収容するとともに、下方から演色フィルタ１４が取り付けられる。レンズベース１３は、演色フィルタ１４を取り付けるための溝部が内周に設けられる。溝部は、レンズベース１３の内周に沿った凹状部と、レンズベース１３の下端から、後述の演色フィルタ１４の凸部を凹状部まで案内するガイド溝を有する。
【００３３】
また、レンズベース１３は、略円筒状の本体の直径の両端に、湾曲部を有する。湾曲部は、レンズベース１３の外周では凹部となり、レンズベース１３の内周では凸部となる。レンズベース１３は、上方から基板１２を収容する際には、上述の基板１２の切り欠き部が、レンズベース１３の凸部に位置合せされる。
【００３４】
演色フィルタ１４は、基板１２に配置されるＬＥＤが発する光を透過させる際に、光に色彩を加える。演色フィルタ１４は、略円状の直径の両端に、レンズベース１３に取り付けるための凸部を有する。演色フィルタ１４は、凸部を上述のガイド溝から進入させ、凸部が上述の凹状部まで至った後に所定角度だけ回転されることで、レンズベース１３に取り付けられる。
【００３５】
レンズ枠１５は、基板１２が収容され、演色フィルタ１４が取り付けられたレンズベース１３を収容する。レンズ枠１５は、略円状の直径の両端に、内周へ突出する凸部を有する。レンズ枠１５の凸部は、ネジ孔を有する。レンズ枠１５は、基板１２が収容され、演色フィルタ１４が取り付けられたレンズベース１３を収容した状態で、上方から放熱フィン１１が取り付けられる。
【００３６】
レンズ枠１５は、上方からレンズベース１３を収容する際には、上述のレンズベース１３の凹部が、上述のレンズ枠１５の凸部に位置合せされる。放熱フィン１１のレンズ枠１５への取り付けは、放熱フィン１１の孔と、レンズ枠１５のネジ孔を位置合せた上で、放熱フィン１１の孔を挿通させたネジをレンズ枠１５のネジ孔に螺合させることによりおこなわれる。なお、放熱フィン１１のレンズ枠１５への取り付けは、ネジ止めに限らず、ピン留めでもよい。
【００３７】
また、レンズ枠１５は、回動軸口１５ａ、１５ｂを有する。レンズ枠１５は、図２に示すＩ−Ｉ線に沿って回動軸口１５ａ、１５ｂを貫通する回動軸孔を有する。
【００３８】
回動胴２０は、レンズ枠１５を上方から収容する。回動胴２０は、回動軸口２３ａ、２３ｂを有する。回動胴２０は、レンズ枠１５を収容し、レンズ枠１５のＩ−Ｉ線と、回動胴２０のII−II線を軸合せした上で、回動軸口２３ａ、２３ｂからネジまたはピンを挿通させ固定する。このようにして、回動胴２０にレンズ枠１５を含む灯体１０が固定される。または、灯体１０に回動胴２０が環装される。そして、灯体１０が、回動胴２０に対して、II−II線（もしくはＩ−Ｉ線）を回動する際の中心軸となる回動中心線として回動可能となる。
【００３９】
なお、回動胴２０が化粧枠３０の内周において回動する際の中心軸となる回動中心線と、灯体１０が回動胴２０に対して回動する中心軸となる回動中心線であるII−II線（もしくはＩ−Ｉ線）とは、空間におけるねじれの位置関係にある。
【００４０】
また、回動胴２０は、上端の周上に、凸部２１を有する。上述したように、回動胴２０の凸部２１は、化粧枠３０の嵌入溝部３３に嵌入された回動規制部４０と当接することにより、回動胴２０が、化粧枠３０に対して所定の回動角度を超えて回動することを規制する。
【００４１】
（灯体の回動の態様）
図３は、実施形態にかかる照明装置の灯体の回動の態様を示す斜視図である。図３に示すように、灯体１０は、回動胴２０に対して、II−II線（もしくはＩ−Ｉ線）を回動する際の中心軸となる回動中心線として、放熱フィン１１が回動胴２０の内周に当接するまで回動可能となる。このように、灯体１０は、II−II線（もしくはＩ−Ｉ線）を回動中心線として所定範囲内で回動し、光の照射角度を調整できる。
【００４２】
（化粧枠の構成）
図４は、実施形態にかかる照明装置の化粧枠の斜視図である。さらに、化粧枠３０は、側周面３２の上端面上に所定の間隔で位置する、複数の凸部３５を有する。化粧枠３０は、側周面３２の上端面上に複数の凸部３５を有することにより、例えば図５に示すように、回動胴２０の環状凸部２２と当接する際に、各凸部３５による点を介して当接することになる。
【００４３】
このように、化粧枠３０と、回動胴２０の環状凸部２２とが複数の凸部３５を介して当接することにより、当接面積を減少させ、当接による摩擦抵抗を低減する。よって、回動胴２０は、化粧枠３０に対して、よりスムーズに回動することができる。なお、凸部３５の数は、回動胴２０および化粧枠３０の材質、化粧枠３０に対する回動胴２０の回動が要求するトルクなどに応じて、変更可能である。
【００４４】
なお、回動胴２０および化粧枠３０は、化粧枠３０に対する回動胴２０の回動の際の摩擦抵抗および回転トルクを考慮した同一または異なる素材である。例えば、回動胴２０および化粧枠３０の両方が金属であってもよい。または、例えば、回動胴２０および化粧枠３０の両方が、例えばＡＢＳ（Acrylonitrile  Butadiene  Styrene）樹脂などの樹脂であってもよい。または、例えば、回動胴２０および化粧枠３０のいずれか一方が金属で、他方が樹脂であってもよい。または、例えば、回動胴２０および化粧枠３０は、異なる摩擦係数を有する素材で形成されてもよい。かかるいずれの場合でも、化粧枠３０と、回動胴２０の環状凸部２２とが複数の凸部３５を介して当接するので、回動胴２０は、化粧枠３０に対して適度な摩擦抵抗でスムーズに回動できる。
【００４５】
（回動規制部の構成）
図６は、実施形態にかかる照明装置の回動規制部を示す斜視図である。実施形態にかかる照明装置１の回動規制部４０は、脚部４１、台座部４２、第１の段部４３、第２の段部４４、第３の段部４５を有する。回動規制部４０において、下方から脚部４１、台座部４２、第１の段部４３、第２の段部４４、第３の段部４５の順序で各部が位置する。
【００４６】
脚部４１は、幅手方向の両端に、当接部４１ａ〜４１ｂを有する。台座部４２は、上面に、例えば凸部４２ｂ〜４２ｃを含む台座面４２ａを有する。なお、台座面４２ａが含む凸部の数は、２つに限られない。台座部４２の幅手方向の長さは、脚部４１の幅手方向の長さより長い。また、台座部４２は、台座面４２ａの下方の脚部４１側に突出し、当接部４２ｅ〜４２ｆを含む凸状部４２ｄを有する。
【００４７】
回動規制部４０は、台座部４２の台座面４２ａが位置しない部分に、第１の段部４３が位置する。第１の段部４３の幅手方向の長さは、脚部４１、台座部４２、第１の段部４３、第２の段部４４、第３の段部４５いずれの幅手方向の長さよりも長い。
【００４８】
第１の段部４３の上方には、第２の段部４４が位置する。第２の段部４４の幅手方向の長さは、第１の段部４３の幅手方向の長さよりも短い。また、第２の段部４４は、台座部４２の台座面４２ａと対向するように設けられた押さえ板４４ａを有する。
【００４９】
第２の段部４４の上方には、第３の段部４５が位置する。第３の段部４５の幅手方向の長さは、第２の段部４４の幅手方向の長さよりも短い。また、第３の段部４５は、当接部４５ａ〜４５ｂを有する。
【００５０】
（回動規制部の取り付け態様）
図７、図８Ａ、図８Ｂは、実施形態にかかる照明装置への回動規制部の取り付けの態様を示す斜視図である。なお、図８Ｂは、図８Ａに示す回動規制部４０と、回動胴２０の凸部２１とが当接する部位周辺を拡大した図である。回動規制部４０は、図６に示す構成を取り、各部の機能は次のようになる。
【００５１】
回動規制部４０の脚部４１は、化粧枠３０の嵌入溝部３３のうち、嵌入溝３３ａに嵌入される部位である（図８Ｂ参照）。回動規制部４０は、脚部４１が嵌入溝３３ａ内に嵌入され、嵌入溝３３ａ内を摺動することにより、化粧枠３０に対して摺動する。回動規制部４０の凸状部４２ｄは、脚部４１が嵌入溝３３ａに嵌入された際に、嵌入支持部３３ｂと当接し、嵌入支持部３３ｂに支持される（図８Ｂ参照）。
【００５２】
回動規制部４０の台座部４２は、化粧枠３０に灯体１０の回動胴２０が嵌入され、回動規制部４０の脚部４１が嵌入溝３３ａに嵌入された状態で、回動胴２０の環状凸部２２を支持する（図７、図８Ａ、図８Ｂ参照）。このとき、回動胴２０の環状凸部２２は、回動規制部４０の押さえ板４４ａで、上方から押さえられる。すなわち、回動胴２０の環状凸部２２は、台座部４２の台座面４２ａと、押さえ板４４ａとの間に挟まれるように位置する。よって、回動胴２０の環状凸部２２は、押さえ板４４ａにより、台座面４２ａによる支持が保持される。
【００５３】
なお、回動規制部４０の台座部４２が回動胴２０の環状凸部２２と当接する当接部位は、台座面４２ａに設けられる凸部４２ｂ〜４２ｃとなる。よって、回動胴２０の環状凸部２２は、押さえ板４４ａにより、凸部４２ｂ〜４２ｃとの当接が保持される。これにより、回動胴２０は、化粧枠３０の内周に沿って回動する際に、回動規制部４０との当接による摩擦抵抗を減少でき、化粧枠３０の内周に沿ってスムーズに回動できる。
【００５４】
また、第２の段部４４は、回動胴２０が化粧枠３０の内周に沿って回動し、回動胴２０の凸部２１が回動規制部４０の第３の段部４５の当接部４５ａまたは当接部４５ｂに当接した状態で、凸部２１を支持する（図７、図８Ａ、図８Ｂ参照）。
【００５５】
例えば、回動胴２０が、図８Ｂに示すＡ方向へ化粧枠３０の内周に沿って回動すると、回動胴２０の凸部２１が回動規制部４０の第３の段部４５の当接部４５ａに当接する。回動胴２０の凸部２１が回動規制部４０の第３の段部４５の当接部４５ａに当接した当接状態で、さらに回動胴２０がＡ方向へ回動すると、当該当接状態を維持しつつ、回動規制部４０が、Ａ方向へ摺動する。
【００５６】
そして、回動規制部４０の当接部４１ｂが嵌入溝３３ａのＡ方向の終端に当接し、かつ、回動規制部４０の当接部４２ｆが嵌入支持部３３ｂのＡ方向の終端に当接する。このとき、第１の段部４３は、回動規制部４０において最も幅広の部分であるので、第１の段部４３のＡ方向の端部が、嵌入溝３３ａのＡ方向の終端により支持される。
【００５７】
あるいは、例えば、回動胴２０が、Ａ方向へ化粧枠３０の内周に沿って回動すると、当該回動に伴い、回動規制部４０がＡ方向へ摺動する。そして、回動規制部４０の当接部４１ｂが嵌入溝３３ａのＡ方向の終端に当接し、かつ、回動規制部４０の当接部４２ｆが嵌入支持部３３ｂのＡ方向の終端に当接する。回動規制部４０の当接部４１ｂが嵌入溝３３ａのＡ方向の終端に当接し、かつ、回動規制部４０の当接部４２ｆが嵌入支持部３３ｂのＡ方向の終端に当接した当接状態で、さらに回動胴２０がＡ方向へ回動すると、当該当接状態を維持しつつ、回動胴２０の凸部２１が回動規制部４０の第３の段部４５の当接部４５ａに当接する。
【００５８】
反対に、例えば、回動胴２０が、図８Ｂに示すＢ方向へ化粧枠３０の内周に沿って回動すると、回動胴２０の凸部２１が回動規制部４０の第３の段部４５の当接部４５ｂに当接する。回動胴２０の凸部２１が回動規制部４０の第３の段部４５の当接部４５ｂに当接した当接状態で、さらに回動胴２０がＢ方向へ回動すると、当該当接状態を維持しつつ、回動規制部４０が、Ｂ方向へ摺動する。
【００５９】
そして、回動規制部４０の当接部４１ａが嵌入溝３３ａのＢ方向の終端に当接し、かつ、回動規制部４０の当接部４２ｅが嵌入支持部３３ｂのＢ方向の終端に当接する。このとき、第１の段部４３は、回動規制部４０において最も幅広の部分であるので、第１の段部４３のＢ方向の端部が、嵌入溝３３ａのＢ方向の終端により支持される。
【００６０】
あるいは、例えば、回動胴２０が、Ｂ方向へ化粧枠３０の内周に沿って回動すると、当該回動に伴い、回動規制部４０がＢ方向へ摺動する。そして、回動規制部４０の当接部４１ａが嵌入溝３３ａのＢ方向の終端に当接し、かつ、回動規制部４０の当接部４２ｅが嵌入支持部３３ｂのＢ方向の終端に当接する。回動規制部４０の当接部４１ａが嵌入溝３３ａのＢ方向の終端に当接し、かつ、回動規制部４０の当接部４２ｅが嵌入支持部３３ｂのＢ方向の終端に当接した当接状態で、さらに回動胴２０がＢ方向へ回動すると、当該当接状態を維持しつつ、回動胴２０の凸部２１が回動規制部４０の第３の段部４５の当接部４５ｂに当接する。
【００６１】
このように、回動胴２０の凸部２１と当接し、回動胴２０の回動を規制する回動規制部４０が、嵌入溝部３３に沿って、回動胴２０の回動に応じて摺動する。このため、回動胴２０は、凸部２１および回動規制部４０による回動規制において、３６０°以上の回動角度を確保できる。よって、照明装置１の光の照射方向の自由度を高めることができる。
【００６２】
（演色フィルタの取り付けの態様および概略構成）
図９は、実施形態にかかる照明装置の光の照射側方向からみた斜視図である。また、図１０は、実施形態にかかる照明装置における演色フィルタの装着の態様を示す図である。また、図１１は、実施形態にかかる照明装置における演色フィルタの装着の端部の断面の概略を示す図である。
【００６３】
図９に示すように、実施形態にかかる照明装置１は、天井（図示せず）に取り付けられた際には、化粧枠３０のフランジ３１と、灯体１０のレンズ枠１５とが、天井の下方から視認できる。図９に示すように、演色フィルタ１４は、略円形状の径の両端に、指掛部１４ａ〜１４ｂを有する。指掛部１４ａ〜１４ｂは、演色フィルタ１４を透過する光の照射を妨げない程度の大きさに形成される。
【００６４】
図１０に示すように、レンズ枠１５は、演色フィルタ１４を取り付ける側の開口部からレンズベース１３側へ向かうに従い内周の径が短くなる構造である。そして、レンズ枠１５は、内周上に穿削された溝部１５ｃを有する。溝部１５ｃは、レンズ枠１５の開口部からレンズベース１３側方向へ所定量だけオフセットした位置に設けられる。
【００６５】
溝部１５ｃは、略Ｌ字型状であり、レンズ枠１５の開口部側から穿削された第１の溝と、第１の溝のレンズベース１３側付近からレンズ枠１５の内周に沿って穿削された第２の溝を有する。そして、溝部１５ｃは、第２の溝の穿削先端付近のレンズベース１３側の面に、嵌合孔１５ｃ１を有する。
【００６６】
なお、図１０では図示しないが、レンズ枠１５は、内周上において、溝部１５ｃおよび嵌合孔１５ｃ１とおおむね正対する位置に、溝部１５ｃおよび嵌合孔１５ｃ１と同様の溝部（第２の溝部）および嵌合孔（第２の嵌合孔）を有する。
【００６７】
図１０に示すように、演色フィルタ１４は、その径の一つに該当するIII−III線上に、指掛部１４ａ〜１４ｂを有する。例えば、演色フィルタ１４は、指掛部１４ｂの付近に、演色フィルタ１４の外周において指掛部１４ｂの立設部分付近から図１０に示すＣ方向に延びる所定の長さの凸部１４ｂ１を有する。そして、凸部１４ｂ１は、Ｃ方向の先端部分に、演色フィルタ１４の指掛部１４ｂが設けられる面とは反対の面側方向に突出する突起部１４ｂ２を有する。
【００６８】
図１１に、図１０に示すIII−III線に沿った断面で概略的に示すように、演色フィルタ１４は、外周上において、指掛部１４ｂ、凸部１４ｂ１、突起部１４ｂ２とおおむね正対する位置に、指掛部１４ａ、凸部１４ａ１、突起部１４ａ２を有する。指掛部１４ａ、凸部１４ａ１および突起部１４ａ２は、指掛部１４ｂ、凸部１４ｂ１および突起部１４ｂ２と同様の形状である。なお、図１０および図１１に示すＤ方向は、同一方向を示す。
【００６９】
演色フィルタ１４は、次のようにして、レンズ枠１５に取り付けられる。すなわち、作業者は、指掛部１４ａ〜１４ｂを摘持し、凸部１４ａ１を溝部１５ｃの第１の溝へ、凸部１４ｂ１を上述の第２の溝部の第１の溝へ、それぞれ最深まで嵌め込む。なお、レンズ枠１５が、演色フィルタ１４を取り付ける側の開口部からレンズベース１３側へ向かうに従い内周の径が短くなる構造であるため、作業者は、凸部１４ａ１を溝部１５ｃの第１の溝へ、凸部１４ｂ１を上述の第２の溝部の第１の溝へ、容易に嵌め込むことができる。
【００７０】
そして、作業者は、凸部１４ａ１を溝部１５ｃの第１の溝へ、凸部１４ｂ１を上述の第２の溝部の第１の溝へ、それぞれ最深まで嵌め込んだ状態から、指掛部１４ａ〜１４ｂを摘持しつつ、図１０に示すＣ方向へ演色フィルタ１４を回転させる。
【００７１】
そして、演色フィルタ１４が回転し、凸部１４ａ１の回転方向の先端が溝部１５ｃの第２の溝の端部に、凸部１４ｂ１の回転方向の先端が上述の第２の溝部の第２の溝の端部に当接する。このとき、演色フィルタ１４は、突起部１４ａ２が嵌合孔１５ｃ１と嵌合し、突起部１４ｂ２が上述の第２の嵌合孔と嵌合する。このようにして、演色フィルタ１４は、レンズ枠１５に取り付けられる。なお、作業者は、レンズ枠１５に取り付けられた演色フィルタ１４の指掛部１４ａ〜１４ｂを摘持することにより、灯体１０の回動操作をおこなうことができる。
【００７２】
以上、演色フィルタ１４の取り付けの態様および概略構成について説明したが、演色フィルタ１４に限らず、レンズ枠１５に取り付けられる部材一般について、上述の取り付けの態様および概略構成を適用することができる。
【００７３】
（電気ケーブルの配線）
図１２Ａは、実施形態にかかる照明装置における電気ケーブルの配線の態様を示す斜視図である。また、図１２Ｂは、実施形態にかかる照明装置における電気ケーブルの配線の態様を示す上面図である。
【００７４】
照明装置１の灯体１０は、内蔵する基板１２（図２参照）へ電源を供給するための電気ケーブル１６を有する。図２などに示すように、灯体１０が有する放熱フィン１１の形状は、略三角形である。このため、放熱フィン１１の略三角形の２つの斜辺のうちの１つは、II−II線（図２、図３、図１２Ａ、図１２Ｂ参照）を中心とする灯体１０の回動により、化粧枠３０の下方側から一部が露出する場合がある。照明装置１において、回動により露出する放熱フィン１１の部分に電気ケーブル１６を取り回すと、回動により電気ケーブル１６が下方から露出することになる。
【００７５】
そこで、照明装置１は、回動によっても露出しない放熱フィン１１の部分に電気ケーブル１６を挿通させ、内蔵する基板１２に電気ケーブル１６を接続する挿通孔１１ｂを設ける。なお、図１２Ａおよび図１２Ｂは、２つの挿通孔１１ｂを示すが、挿通孔１１ｂの数は、２つ限られない。照明装置１は、電気ケーブル１６を、挿通孔１１ｂを経由させて基板１２に接続することにより、電気ケーブル１６が下方から露出することを回避し、美観の低下を防止する。または、照明装置１は、電気ケーブル１６の保護を図ることができる。
【００７６】
または、図１２Ａおよび図１２Ｂに示すように、鉛直上方からみてII−II線で分割される放熱フィン１１の２つの領域うち、面積が狭い領域に挿通孔１１ｂを設けてもよい。すなわち、挿通孔１１ｂを、図１２Ｂに示すＲ方向側に設けることにより、電気ケーブル１６が下方から露出することを回避して、美観の低下を防止し、電気ケーブル１６の保護を図るという効果がより高まる。
【００７７】
（実施形態の効果）
以上説明したとおり、実施形態によれば、灯体の水平方向の回動角度について、構造の簡素化、部品点数の最小化の観点から電源線のねじれ防止のための回動規制を設けつつ、簡易な構成で、３６０°以上の回動を可能とできる。または、実施形態によれば、灯体の水平方向の回動について、部品点数を増やすことなく、摩擦抵抗を低減し、回動の操作性を高めることができる。
【００７８】
または、実施形態によれば、灯体の光の照射方向を変えても電気ケーブルが天井下方に露出しないため、美観の低下を防止し、電気ケーブルの保護を図ることができる。または、実施形態によれば、灯体の光の照射面側に装着するフィルタなどの器具の装着を容易にし、装着後の器具の可動操作、水平回動の操作性向上を向上させることができる。
【００７９】
以上の実施形態では、複数の凸部３５は、化粧枠３０の側周面３２の上端面上に所定の間隔で位置することとした。しかし、これに限らず、複数の凸部３５は、回動胴２０の環状凸部２２の、化粧枠３０の側周面３２の上端面と当接する側に設けられても、回動胴２０が化粧枠３０に対してスムーズに回動するという効果が得られる。
【００８０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８１】
１  照明装置
１０  灯体
１１  放熱フィン
１１ｂ  挿通孔
１４  演色フィルタ
１４ａ、１４ｂ  指掛部
１４ａ１、１４ｂ１  凸部
１４ａ２、１４ｂ２  突起部
１５  レンズ枠
１５ｃ  溝部
１５ｃ１  嵌合孔
１６  電気ケーブル
２０  回動胴
２１  凸部
２２  環状凸部
３０  化粧枠
３１  フランジ
３２  側周面
３３  嵌入溝部
３３ａ  嵌入溝
３３ｂ  嵌入支持部
３５  凸部
４０  回動規制部
４１  脚部
４１ａ、４１ｂ  当接部
４２  台座部
４２ａ  台座面
４２ｂ、４２ｃ  凸部
４２ｄ  凸状部
４２ｅ、４２ｆ  当接部
４３  第１の段部
４４  第２の段部
４４ａ  押さえ板
４５  第３の段部
４５ａ、４５ｂ  当接部
【図１】
2015050019.tif 000003
【図２】
2015050019.tif 000004
【図３】
2015050019.tif 000005
【図４】
2015050019.tif 000006
【図５】
2015050019.tif 000007
【図６】
2015050019.tif 000008
【図７】
2015050019.tif 000009
【図８Ａ】
2015050019.tif 000010
【図８Ｂ】
2015050019.tif 000011
【図９】
2015050019.tif 000012
【図１０】
2015050019.tif 000013
【図１１】
2015050019.tif 000014
【図１２Ａ】
2015050019.tif 000015
【図１２Ｂ】
2015050019.tif 000016